(57)【要約】【課題】ＨＦＣシステムにおいて、流合雑音の影響を軽減し、上り通信のＣ／Ｎを改善すること。【解決手段】ＨＦＣシステムは、ヘッドエンド１０に接続した複数の光ファイバーケーブル１１と、各光ファイバーケーブル１１に接続する光ノード装置１３と、各光ノード装置１３と複数の加入者との間を接続する同軸ケーブル１４とにより構成され、上り通信はヘッドエンドによって衝突しないように制御される。光ノード装置１３は、復調手段１０７と制御手段１０８を有している。復調手段１０７は、入力された上り電気信号を復調して復調信号を出力する。制御手段１０８は、通常はＥ／Ｏ変換器１０２の出力をオフの状態に保持しているが、復調手段１０７からの復調信号の入力があると、Ｅ／Ｏ変換器１０２の出力をオンとする。【選択図】図２
2010263403.tif 000002
【特許請求の範囲】
【請求項１】
ヘッドエンドに接続する複数の光伝送路と、各前記光伝送路に接続する光ノード装置と、前記光ノード装置と複数の加入者との間を接続する電気伝送路と、を有し、前記ヘッドエンドによる制御によって上り通信が衝突しないように制御されるＨＦＣシステムにおいて、
前記光ノード装置は、上り電気信号が入力される場合には、光出力をオンとし、それ以外の場合には、光出力を減衰させる、もしくはオフとする制御手段、を有している、
ことを特徴とするＨＦＣシステム。
【請求項２】
前記上り電気信号は、複数の上り帯域に分割されており、
前記光ノード装置は、
前記上り電気信号を複数の上り帯域ごとに分割して出力する分波手段と、
前記分波手段により分割された前記上り電気信号がそれぞれ入力され、出力する光信号の波長がそれぞれ異なる複数のＥ／Ｏ変換器と、
各前記Ｅ／Ｏ変換器からの光信号を波長多重化する波長多重装置と、
を有し、
前記制御手段は、各上り帯域ごとに、各前記Ｅ／Ｏ変換器を制御して光出力のオンオフ、もしくは減衰を制御する、
ことを特徴とする請求項１に記載のＨＦＣシステム。
【請求項３】
前記上り電気信号は、前記ヘッドエンドによって制御されない信号を含み、
前記光ノード装置は、
前記上り電気信号を、前記ヘッドエンドによって制御される信号の帯域と、前記ヘッドエンドによって制御されない信号の帯域とに分割して出力する分波手段と、
前記分波手段により分割された前記上り電気信号がそれぞれ入力され、出力する光信号の波長がそれぞれ異なる複数のＥ／Ｏ変換器と、
各前記Ｅ／Ｏ変換器からの光信号を波長多重化する波長多重装置と、
を有し、
前記制御手段は、前記ヘッドエンドによって制御される信号が入力される前記Ｅ／Ｏ変換器を制御して光出力のオンオフ、もしくは減衰を制御する、
ことを特徴とする請求項１または請求項２に記載のＨＦＣシステム。
【請求項４】
前記分波手段は、前記上り電気信号を分配する分配器と、分配された前記上り電気信号がそれぞれ入力され、通過帯域がそれぞれ異なる複数のバンドパスフィルタと、によって構成されていることを特徴とする請求項２または請求項３に記載のＨＦＣシステム。
【発明の詳細な説明】
【技術分野】
【０００１】
本発明は、光ファイバーと同軸ケーブルを併用するＨＦＣシステムに関するものであり、特に光信号と電気信号を相互に変換する光ノード装置に特徴を有するものである。
【背景技術】
【０００２】
従来より、ＨＦＣ（Ｈｙｂｒｉｄ  Ｆｉｂｅｒ−Ｃｏａｘｉａｌ）と呼ばれるネットワークシステムが知られている（たとえば特許文献１）。これは、ヘッドエンドから幹線部分までを光ファイバーによる配線とし、幹線から各加入者までの支線部分を同軸ケーブルによる配線とする方式である。光ファイバーと同軸ケーブルは、光信号と電気信号を相互に変換する光ノード装置を用いて接続される。
【０００３】
特許文献１に記載の光ノード装置には、過大な流合雑音が入力された場合にレーザーダイオードへの入力を遮断し、レーザーダイオードの劣化、損傷を防止する手段が設けられている。
【先行技術文献】
【特許文献】
【０００４】
【特許文献１】特開２００６−７４１９３
【発明の概要】
【発明が解決しようとする課題】
【０００５】
しかし、上記のような従来の光ノード装置では、基準よりも大きな流合雑音に対してはレーザーダイオードが遮断されるが、基準以下の流合雑音については遮断されるわけではない。したがって、従来の光ノード装置を使用したＨＦＣシステムでは、流合雑音によって通信品質が低下したり、他ノードに影響を及ぼすことを防止することはできず、最悪の場合、通信断となってしまうことがあった。
【０００６】
そこで本発明の目的は、通信品質が改善されたＨＦＣシステムを提供することである。
【課題を解決するための手段】
【０００７】
第１の発明は、ヘッドエンドに接続する複数の光伝送路と、各光伝送路に接続する光ノード装置と、光ノード装置と複数の加入者との間を接続する電気伝送路とを有し、ヘッドエンドによる制御によって上り通信が衝突しないように制御されるＨＦＣシステムにおいて、光ノード装置は、上り電気信号が入力される場合には、光出力をオンとし、それ以外の場合には、光出力を減衰させる、もしくはオフとする制御手段、を有している、ことを特徴とするＨＦＣシステムである。
【０００８】
第２の発明は、第１の発明において、上り電気信号は、複数の上り帯域に分割されており、光ノード装置は、上り電気信号を複数の上り帯域ごとに分割して出力する分波手段と、分波手段により分割された上り電気信号がそれぞれ入力され、出力する光信号の波長がそれぞれ異なる複数のＥ／Ｏ変換器と、各Ｅ／Ｏ変換器からの光信号を波長多重化する波長多重装置と、を有し、制御手段は、各上り帯域ごとに、各Ｅ／Ｏ変換器を制御して光出力のオンオフを制御する、ことを特徴とするＨＦＣシステムである。
【０００９】
第３の発明は、第１の発明または第２の発明において、上り電気信号は、ヘッドエンドによって制御されない信号を含み、光ノード装置は、上り電気信号を、ヘッドエンドによって制御される信号の帯域と、ヘッドエンドによって制御されない信号の帯域とに分割して出力する分波手段と、分波手段により分割された上り電気信号がそれぞれ入力され、出力する光信号の波長がそれぞれ異なる複数のＥ／Ｏ変換器と、各Ｅ／Ｏ変換器からの光信号を波長多重化する波長多重装置と、を有し、制御手段は、ヘッドエンドによって制御される信号が入力されるＥ／Ｏ変換器を制御して光出力のオンオフを制御する、ことを特徴とするＨＦＣシステムである。
【００１０】
ヘッドエンドによって制御されない信号とは、たとえば、中継装置などの動作状態をモニタするためのステータス信号や、映像による上り中継信号などである。
【００１１】
第４の発明は、第２の発明または第３の発明において、分波手段は、上り電気信号を分配する分配器と、分配された上り電気信号がそれぞれ入力され、通過帯域がそれぞれ異なる複数のバンドパスフィルタと、によって構成されていることを特徴とするＨＦＣシステムである。
【発明の効果】
【００１２】
第１の発明によると、光ノード装置において上り電気信号の入力の有無により光出力のオンオフ、もしくは減衰を制御するため、上り通信を行っている光ノード装置以外の光ノード装置からは光信号が出力されないか、もしくは非常に弱い出力とすることができる。そのため、流合雑音が発生したとしても、その流合雑音の発生源となった光ノード装置以外の光ノード装置の上り通信への影響がなく、また流合雑音の発生源の特定も容易となる。また、上り通信のＣ／Ｎが改善され、安定した上り通信が可能となる。
【００１３】
また、第２の発明のように、上り電気信号が複数の上り帯域に分割されている場合でも、それぞれの帯域ごとに、上り電気信号の有無により光出力をオンオフ制御を行うことで、上り通信のＣ／Ｎをより改善することができる。
【００１４】
また、第３の発明のように、上り電気信号にヘッドエンドにより制御されない信号が含まれる場合であっても、分波手段によってヘッドエンドにより制御される上り電気信号を分波し、そのヘッドエンドにより制御される上り電気信号の入力の有無により光出力をオンオフ制御すれば、上り通信のＣ／Ｎをより改善することができる。
【００１５】
また、第４の発明によれば、光ノード装置のバンドパスフィルタの交換によって容易に上り帯域の変更を行うことができる。
【図面の簡単な説明】
【００１６】
【図１】実施例１のＣＡＴＶシステムの構成を示したブロック図。
【図２】光ノード装置１３の構成を示したブロック図。
【図３】光ノード装置２３の構成を示したブロック図。
【図４】光ノード装置３３の構成を示したブロック図。
【図５】光ノード装置４３の構成を示したブロック図。
【発明を実施するための形態】
【００１７】
以下、本発明の具体的な実施例について図を参照に説明するが、本発明は実施例に限定されるものではない。
【実施例１】
【００１８】
図１は、実施例１のＨＦＣシステムの構成を示した図である。ＨＦＣシステムは、ヘッドエンド１０と接続する複数の光ファイバーケーブル１１、光ファイバーケーブル１１のそれぞれに接続された光ノード装置１３、光ノード装置１３と複数の加入者１５とを接続する同軸ケーブル１４、によって構成されている。同軸ケーブル１４は分岐器１６によってツリー状に分岐され、１つの光ノード装置１３に対して５００〜２０００世帯の加入者１５が接続する。ヘッドエンド１０の下り電気信号出力側は、分配器１７に接続し、分配器１７は複数のＥ／Ｏ変換器１８に接続し、各Ｅ／Ｏ変換器１８は、各光ファイバーケーブル１１の下り通信側の心１１Ａに接続している。また、ヘッドエンド１０の上り電気信号入力側は、混合器１９に接続し、混合器１９は複数のＯ／Ｅ変換器２０に接続し、各Ｏ／Ｅ変換器２０は各光ファイバーケーブル１１の上り通信側の心１１Ｂに接続している。
【００１９】
図２は、光ノード装置１３の構成を示した図である。光ノード装置１３は、Ｏ／Ｅ変換器１０１、Ｅ／Ｏ変換器１０２、分波器１０３、増幅器１０４、１０５、分岐器１０６、復調手段１０７、制御手段１０８、により構成されている。Ｏ／Ｅ変換器１０１は、光ファイバーケーブル１１の下り通信側の心１１Ａに接続し、Ｅ／Ｏ変換器１０２は、光ファイバーケーブル１１の上り通信側の心１１Ｂに接続している。分波器１０３は、同軸ケーブル１４に接続し、Ｏ／Ｅ変換器１０１とＥ／Ｏ変換器１０２の双方に接続している。分波器１０３とＯ／Ｅ変換器１０１との間、分波器１０３とＥ／Ｏ変換器１０２との間には、それぞれ増幅器１０４、１０５が挿入されている。Ｅ／Ｏ変換器１０２と増幅器１０５の間には分岐器１０６が設けられていて、分岐器１０６の幹線側にＥ／Ｏ変換器１０２が接続し、分岐側に復調手段１０７が接続している。制御手段１０８は、復調手段１０７に接続している。復調手段１０７と制御手段１０８は、本発明の制御手段に相当するものである。
【００２０】
復調手段１０７は、光ノード装置１３に入力される上り電気信号を復調して復調信号を出力する手段である。制御手段１０８は、通常はＥ／Ｏ変換器１０２の光出力をオフに制御するが、復調手段１０７からの復調信号の出力がある場合にはＥ／Ｏ変換器１０２の光出力をオンに制御する。制御手段１０８は、たとえばコンパレータとＦＥＴで構成され、以下のようにしてＥ／Ｏ変換器１０２の出力を制御する。コンパレータに入力される復調信号が基準電圧よりも大きい場合には、コンパレータから所定の電圧が出力され、ＦＥＴのゲートに電圧が印加されてＦＥＴがオンとなり、Ｅ／Ｏ変換器１０２の出力もオンとなる。一方、コンパレータに入力される復調信号が基準電圧よりも小さい場合には、コンパレータからの出力電圧は０であり、ＦＥＴのゲートに電圧が印加されずＦＥＴはオフとなり、Ｅ／Ｏ変換器１０２の出力もオフとなる。
【００２１】
このＨＦＣシステムでは、ヘッドエンド１０と加入者１５間で双方向通信が行われる。下り通信帯域は７０〜７７０ＭＨｚ、上り通信帯域は１０〜５５ＭＨｚである。また、この通信はＤＯＣＳＩＳ（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎｓ）に基づくものである。ＤＯＣＳＩＳとは、同軸ケーブルでの通信の標準規格であり、通信プロトコルやインターフェイスなどが定められている。加入者１５からの上り電気信号の送出タイミングは、ＤＯＣＳＩＳに基づきヘッドエンド１０によって制御されており、各加入者１５からの上り電気信号が衝突しないように制御される。したがって、ある加入者側から上り電気信号が出力されている時には、他の加入者側からは上り電気信号が出力されていない状態にある。
【００２２】
上り通信時における光ノード装置１３の動作について説明する。
【００２３】
ヘッドエンド１０の制御によってある加入者側から上り電気信号が出力されると、上り電気信号は同軸ケーブル１４を伝送して光ノード装置１３に入力される。光ノード装置１３に入力された上り電気信号は、分波器１０３を通って増幅器１０５に入力され、増幅器１０５によって増幅された後、Ｅ／Ｏ変換器１０２へと入力される。また、上り電気信号の一部は分岐器１０６により分岐されて復調手段１０７に入力される。復調手段１０７は、上り電気信号を復調して復調信号を出力し、復調信号は制御手段１０８に入力される。
【００２４】
制御手段１０８は、通常はＥ／Ｏ変換器１０２の出力をオフの状態に保持しているが、復調手段１０７からの復調信号の入力があると、Ｅ／Ｏ変換器１０２の出力をオンとする。
【００２５】
この制御手段１０８によってＥ／Ｏ変換器１０２がオンとなっている状態では、Ｅ／Ｏ変換器１０２に入力された上り電気信号は光信号に変換され、光ファイバーケーブル１１の上り通信側の心１１Ｂに入力される。加入者側からの上り電気信号の出力が終了し、復調手段１０７からの復調信号の出力が途絶えると、制御手段１０８は再びＥ／Ｏ変換器１０２をオフの状態に維持する。
【００２６】
このように、光ノード装置１３は、自身の配下の加入者１５の上り通信時には光信号を出力するが、自身の配下の加入者１５が上り通信を行っていないときには光出力をオフにする。ここで上述のように、加入者１５からの上り電気信号の送出タイミングは、ＤＯＣＳＩＳに基づきヘッドエンド１０によって制御され、上り電気信号が衝突しないように制御されるため、ある加入者１５が上り通信を行っている場合には、その加入者１５が接続する光ノード装置１３のみが光信号を出力し、他の光ノード装置１３は光出力がカットされる状態となる。
【００２７】
したがって、実施例１のＨＦＣシステムによれば、たとえ流合雑音が発生したとしても、他の光ノード装置１３の上り通信に影響することがない。また、上り通信のＣ／Ｎ悪化が改善され、安定した上り通信を実現することができる。
【００２８】
なお、制御手段１０８は、Ｅ／Ｏ変換器１０２の出力をオフとするのではなく、光出力を減衰させて、復調信号の入力がある場合よりも光出力を小さくするものであってもよい。
【実施例２】
【００２９】
実施例２のＨＦＣシステムは、実施例１のＨＦＣシステムの光ノード装置１３を、光ノード装置２３に置き換えたものである。実施例２のＨＦＣシステムでは、上り帯域を２つの帯域に分割してヘッドエンド１０と加入者１５間で双方向通信が行われる。下り通信帯域は２５０〜７７０ＭＨｚ、上り通信帯域は１０〜３０ＭＨｚの帯域と、４０〜６０ＭＨｚの帯域である。上りの２つの帯域のうち、４０〜６０ＭＨｚの帯域における上り通信は、ＤＯＣＳＩＳに基づきヘッドエンド１０による通信タイミングの制御を受ける通信であり、上り通信が衝突しないように制御される。一方、１０〜３０ＭＨｚの帯域における上り通信は、ＤＯＣＳＩＳに基づく通信タイミングの制御を受けない通信である。このような通信タイミングの制御を受けない通信の上り信号は、たとえば、中継装置などの動作状態をモニタするためのステータス信号や、映像による上り中継信号などである。
【００３０】
図３のように、光ノード装置２３は、増幅器１０５から光ファイバーケーブル１１の上り通信側の心１１Ｂまでの区間の構成が、光ノード装置１３とは異なっている。以下、異なる構成部分について説明する。
【００３１】
増幅器１０５は、分波器２０１に接続していて、分波器２０１は上り電気信号を１０〜３０ＭＨｚの帯域と、４０〜６０ＭＨｚの帯域に分波して出力する。分波器２０１の１０〜３０ＭＨｚの帯域の上り電気信号を出力する側は、Ｅ／Ｏ変換器２０２に接続していて、分波器２０１の４０〜６０ＭＨｚの帯域の上り電気信号を出力する側は、Ｅ／Ｏ変換器２０３に接続している。Ｅ／Ｏ変換器２０２とＥ／Ｏ変換器２０３の出力する光信号の波長は異なっている。
【００３２】
分波器２０１とＥ／Ｏ変換器２０３との間には、分岐器２０４が設けられている。分岐器２０４の幹線側にＥ／Ｏ変換器２０３が接続し、分岐側に復調手段２０５が接続している。復調手段２０５は、４０〜６０ＭＨｚの帯域の上り電気信号を復調して復調信号を出力する。
【００３３】
復調手段２０５は、制御手段２０６に接続していて、復調手段２０５からの復調信号が入力される。制御手段２０６は、通常はＥ／Ｏ変換器２０３をオフ状態に維持するが、復調手段２０５からの復調信号の入力がある場合には、Ｅ／Ｏ変換器２０３の光出力をオンにし、４０〜６０ＭＨｚの帯域の上り電気信号を光信号に変換し、出力する。一方、Ｅ／Ｏ変換器２０２は、常時オン状態に維持されており、１０〜３０ＭＨｚの帯域の上り電気信号を、Ｅ／Ｏ変換器２０３が出力する光信号とは波長の異なる光信号に変換し、出力する。
【００３４】
Ｅ／Ｏ変換器２０２、２０３の光出力側は、ＷＤＭ装置２０７に接続しており、ＷＤＭ装置２０７は光ファイバーケーブル１１の上り通信側の心１１Ｂに接続している。Ｅ／Ｏ変換器２０２、２０３から出力された光信号は、ＷＤＭ装置２０７によって波長多重化されて光ファイバーケーブル１１の上り通信側の心１１Ｂに入力される。
【００３５】
このように光ノード装置２３では、１０〜３０ＭＨｚの帯域についてはＥ／Ｏ変換器２０２が常時オン状態であり、４０〜６０ＭＨｚの帯域については、上り電気信号の有無によるＥ／Ｏ変換器２０３の光出力のオンオフ制御が行われる。
【００３６】
以上のように、上り帯域が２つに分割され、一方の帯域がＤＯＣＳＩＳによる上り通信、他方の帯域がそれ以外の通信である場合であっても、光ノード装置２３を用いた実施例２のＨＦＣシステムによれば、４０〜６０ＭＨｚの帯域における上り通信はＣ／Ｎ悪化が改善され、通信品質が向上する。
【実施例３】
【００３７】
実施例３のＨＦＣシステムは、実施例１のＨＦＣシステムの光ノード装置１３を、光ノード装置３３に置き換えたものである。実施例３のＨＦＣシステムでは、上り帯域を２つの帯域に分割してヘッドエンド１０と加入者１５間で双方向通信が行われる。下り通信帯域は２５０〜７７０ＭＨｚ、上り通信帯域は１０〜６０ＭＨｚの帯域と、７０〜２２２ＭＨｚの帯域である。両帯域の上り通信は、ＤＯＣＳＩＳに基づきヘッドエンド１０による通信タイミングの制御を受ける通信であり、上りの帯域それぞれにおいて上り通信が衝突しないように制御される。
【００３８】
図４のように、光ノード装置３３は、増幅器１０５から光ファイバーケーブル１１の上り通信側の心１１Ｂまでの間の構成が、光ノード装置１３とは異なっている。以下、その異なる構成部分について説明する。
【００３９】
増幅器１０５は、分波器３０１に接続していて、分波器３０１は上り電気信号を１０〜６０ＭＨｚの帯域と、７０〜２２２ＭＨｚの帯域に分波して出力する。分波器３０１の１０〜６０ＭＨｚの帯域の上り電気信号を出力する側は、Ｅ／Ｏ変換器３０２に接続していて、分波器３０１の７０〜２２２ＭＨｚの帯域の上り電気信号を出力する側は、Ｅ／Ｏ変換器３０３に接続している。Ｅ／Ｏ変換器３０２とＥ／Ｏ変換器３０３の出力する光信号の波長は異なっている。
【００４０】
分波器３０１とＥ／Ｏ変換器３０２との間、および分波器３０１とＥ／Ｏ変換器３０３との間には、それぞれ分岐器３０４、３０５が設けられている。分岐器３０４の幹線側にＥ／Ｏ変換器３０２が接続し、分岐側に復調手段３０６が接続している。また、分岐器３０５の幹線側にＥ／Ｏ変換器３０３が接続し、分岐側に復調手段３０７が接続している。復調手段３０６は、１０〜６０ＭＨｚの帯域の上り電気信号を復調して復調信号を出力する。また、復調手段３０７は、７０〜２２２ＭＨｚの帯域の上り電気信号を復調して復調信号を出力する。
【００４１】
復調手段３０６、３０７は、それぞれ制御手段３０８、３０９に接続していて、復調手段３０６、３０７からの復調信号がそれぞれ入力される。制御手段３０８は、通常はＥ／Ｏ変換器３０２をオフ状態に維持するが、復調手段３０６からの復調信号の入力がある場合には、Ｅ／Ｏ変換器３０２の光出力をオンにし、１０〜６０ＭＨｚの帯域の上り電気信号を光信号に変換して出力する。また、制御手段３０９は、通常はＥ／Ｏ変換器３０３をオフ状態に維持するが、復調手段３０７からの復調信号の入力がある場合には、Ｅ／Ｏ変換器３０３の光出力をオンにし、７０〜２２２ＭＨｚの帯域の上り電気信号を、Ｅ／Ｏ変換器３０２が出力する光信号とは波長の異なる光信号に変換し、出力する。
【００４２】
Ｅ／Ｏ変換器３０２、３０３の光出力側は、ＷＤＭ装置３１０に接続しており、ＷＤＭ装置３１０は光ファイバーケーブル１１の上り通信側の心１１Ｂに接続している。Ｅ／Ｏ変換器３０２、３０３から出力された光信号は、ＷＤＭ装置３１０によって波長多重化されて光ファイバーケーブル１１の上り通信側の心１１Ｂに入力される。
【００４３】
このように、光ノード装置３３では、２つに分割された上り帯域ごとに、上り電気信号の有無によるＥ／Ｏ変換器３０２、３０３の光出力のオンオフ制御が行われる。
【００４４】
したがって、上り帯域が２つに分割され、双方がＤＯＣＳＩＳによる通信である場合であっても、光ノード装置３３を用いた実施例３のＨＦＣシステムによれば、流合雑音が発生した場合に発生源となった光ノード装置３３以外の光ノード装置３３の上り通信に影響を及ぼすことがない。また、上り通信時のＣ／Ｎ悪化が改善されるため、通信品質が向上する。
【実施例４】
【００４５】
実施例４のＨＦＣシステムは、実施例３のＨＦＣシステムの光ノード装置３３を、光ノード装置４３に置き換えたものである。光ノード装置４３は、図５のように、光ノード装置３３の分波器３０１、１０３をそれぞれ分配器４０１、４０４に替え、分配器４０１と分岐器３０４、３０５との間にそれぞれバンドパスフィルタ４０２、４０３を設けたものである。Ｅ／Ｏ変換器３０２、３０３に入力される上り電気信号の帯域は、バンドパスフィルタ４０２、４０３の通過帯域によってそれぞれ決定される。そのため、バンドパスフィルタ４０２、４０３の取り替えによってＥ／Ｏ変換器３０２、３０３に入力される上り電気信号の帯域を容易に変更することができる。
【００４６】
光ノード装置４３では、バンドパスフィルタ４０２、４０３による通過帯域ごとに、上り電気信号の有無によるＥ／Ｏ変換器３０２、３０３の光出力のオンオフ制御が行われる。
【００４７】
したがって、実施例４のＨＦＣシステムによれば、実施例３のＨＦＣシステムと同様に、上り帯域が２つに分割され、双方がＤＯＣＳＩＳによる通信である場合であっても、流合雑音が発生した場合に発生源となった光ノード装置３３以外の光ノード装置３３配下の加入者１５に影響を及ぼすことがない。また、上り通信時のＣ／Ｎ悪化が改善されるため、通信品質が向上する。
【００４８】
なお、実施例２〜４では、上り帯域を２つに分割した場合を示したが、上り帯域を３つ以上に分割する場合にも、同様にして本発明を適用することができる。たとえば、上り帯域が３分割され、そのうち２つの帯域はＤＯＣＳＩＳに基づく上り通信、他の１つの帯域はＤＯＣＳＩＳによる通信の制御を受けない上り通信である場合にも、実施例２と実施例３の組み合わせによって容易に本発明の適用が可能である。
【００４９】
また、実施例１〜４では、光ファイバーケーブルとして２心のものを用いて双方向通信を行う場合を示したが、波長多重装置を用いて複信方式とすることで、１心の光ファイバーケーブルを用いることも可能である。
【００５０】
また、実施例１〜４では、復調器を用いて上り電気信号の有無を検出しているが、これは搬送波だけを検波するものでもよく、搬送波のレベルに応じて光出力をオンオフする、または減衰させるものであってもよい。
【００５１】
また、実施例４に示した、分波器に替えて分配器とバンドパスフィルタを用いて分波する構成は、実施例２の光ノード装置においても同様に適用することができる。
【産業上の利用可能性】
【００５２】
本発明のＨＦＣシステムは、インターネット接続サービスなどの双方向通信サービスに利用することができる。
【符号の説明】
【００５３】
１０：ヘッドエンド
１１：光ファイバーケーブル
１３、２３、３３、４３：光ノード装置
１４：同軸ケーブル
１５：加入者
１６：分岐器
１０１：Ｏ／Ｅ変換器
１０２、２０２、２０３、３０２、３０３：Ｅ／Ｏ変換器
１０３：分波器
１０７、２０５、３０６、３０７：復調手段
１０８、２０６、３０８、３０９：制御手段
２０７、３１０：ＷＤＭ装置
４０１、４０４：分配器
４０２、４０３：バンドパスフィルタ
【図１】
2010263403.tif 000003
【図２】
2010263403.tif 000004
【図３】
2010263403.tif 000005
【図４】
2010263403.tif 000006
【図５】
2010263403.tif 000007